(57)【要約】【課題】ジッパーテープの始端部と終端部とを容易かつ確実に接続する。【解決手段】対向する１対の基部条片（１２１Ａ，１２１Ｂ）、および１対の基部条片（１２１Ａ，１２１Ｂ）のそれぞれの内側面から突出し互いに係合する１対の係合部（１２２Ａ，１２２Ｂ）を断面に含む長尺状のジッパーテープ本体（１２０）と、ジッパーテープ本体（１２０）の長手方向端部で１対の基部条片（１２１Ａ，１２１Ｂ）の少なくとも一方の外側面に接合され、ジッパーテープ本体（１２０）の長手方向端部から張り出したフィルム（１３０Ａ，１３０Ｂ）とを備えるジッパーテープ、ならびにそのようなジッパーテープを用いたジッパーテープ付き袋の製造方法および製造装置が提供される。【選択図】図５
2020092966.tif 000002
【特許請求の範囲】
【請求項１】
対向する１対の基部条片、および前記１対の基部条片のそれぞれの内側面から突出し互いに係合する１対の係合部を断面に含む長尺状のジッパーテープ本体と、
前記ジッパーテープ本体の長手方向端部で前記１対の基部条片の少なくとも一方の外側面に接合され、前記ジッパーテープ本体の長手方向端部から張り出したフィルムと
を備えるジッパーテープ。
【請求項２】
前記フィルムは、前記１対の基部条片のそれぞれの外側面に接合される１対のフィルムを含む、請求項１に記載のジッパーテープ。
【請求項３】
前記フィルムは、前記ジッパーテープ本体とは異なる色に着色される、請求項１または請求項２に記載のジッパーテープ。
【請求項４】
前記フィルムは、前記ジッパーテープ本体の幅方向について、前記ジッパーテープ本体の幅以下の寸法を有する、請求項１から請求項３のいずれか１項に記載のジッパーテープ。
【請求項５】
前記フィルムは、前記ジッパーテープ本体の長手方向について、前記ジッパーテープ本体の幅以上の寸法を有する、請求項１から請求項４のいずれか１項に記載のジッパーテープ。
【請求項６】
前記フィルムは、ラミネートフィルムである、請求項１から請求項５のいずれか１項に記載のジッパーテープ。
【請求項７】
前記フィルムは、前記ジッパーテープ本体の長手方向端部に溶着されるか、または接着剤または粘着剤を用いて接合される、請求項１から請求項６のいずれか１項に記載のジッパーテープ。
【請求項８】
前記ジッパーテープ本体は、ロール状に巻回され、
前記フィルムは、前記ロールの巻き中心側、または巻き外側の少なくともいずれかで前記ジッパーテープ本体の長手方向端部に接合される、請求項１から請求項７のいずれか１項に記載のジッパーテープ。
【請求項９】
袋本体に請求項１から請求項８のいずれか１項に記載のジッパーテープを接合する工程を含むジッパーテープ付き袋の製造方法であって、
前記ジッパーテープは、第１および第２のジッパーテープを含み、
前記製造方法は、前記第１のジッパーテープの前記ジッパーテープ本体の長手方向端部から張り出した前記フィルムを、前記第２のジッパーテープの前記ジッパーテープ本体の長手方向端部で前記１対の基部条片の少なくとも一方の外側面に接合することによって前記第１のジッパーテープと前記第２のジッパーテープとを接続する工程をさらに含む、ジッパーテープ付き袋の製造方法。
【請求項１０】
前記接続する工程では、前記フィルムを前記第２のジッパーテープの前記ジッパーテープ本体の長手方向端部に溶着させるか、または接着剤もしくは粘着剤を用いて接合する、請求項９に記載のジッパーテープ付き袋の製造方法。
【請求項１１】
袋本体に請求項１から請求項８のいずれか１項に記載のジッパーテープを接合する接合装置を含むジッパーテープ付き袋の製造装置であって、
前記ジッパーテープは、第１および第２のジッパーテープを含み、
前記製造装置は、前記第１のジッパーテープの前記ジッパーテープ本体の長手方向端部から張り出した前記フィルムを、前記第２のジッパーテープの前記ジッパーテープ本体の長手方向端部で前記１対の基部条片の少なくとも一方の外側面に接合することによって前記第１のジッパーテープと前記第２のジッパーテープとを接続する接続装置をさらに含む、ジッパーテープ付き袋の製造装置。
【請求項１２】
前記接続装置は、前記フィルムを前記第２のジッパーテープの前記ジッパーテープ本体の長手方向端部に溶着させるか、または接着剤もしくは粘着剤を用いて接合する、請求項１１に記載のジッパーテープ付き袋の製造装置。
【発明の詳細な説明】
【技術分野】
【０００１】
本発明は、ジッパーテープ、ならびにジッパーテープ付き袋の製造方法および製造装置に関する。
【背景技術】
【０００２】
ジッパーテープは、例えば袋に取り付けてジッパーテープ付き袋とすることによって、薬品や食品など様々な物品を包装する用途で広く用いられている。このようなジッパーテープの利点の一つは、容易に開封および再封が可能であることである。ユーザは、ジッパーテープの係合を解除することによって容器を開封し、ジッパーテープを係合させることによって容器を再封することができる。このようなジッパーテープについては様々な改良技術が提案されている。例えば、特許文献１には、リブを設けることによって開封作業性を向上させたジッパーテープ付き袋が記載されている。
【先行技術文献】
【特許文献】
【０００３】
【特許文献１】特開２０１６−４３９７３号公報
【発明の概要】
【発明が解決しようとする課題】
【０００４】
上記のようなジッパーテープは、一般的に長尺状のテープを巻回したロールとして提供される。例えばジッパーテープ付き袋の製造工程では、ロールから引き出されたジッパーテープとフィルムロールから引き出されたフィルムとを連続的に搬送しながら接合してジッパーテープ付きフィルムにし、ジッパーテープ付きフィルムを適宜接合および切断することによってジッパーテープ付き袋が製造される。ここで、ロールに巻回されるジッパーテープの長さは有限であるため、ロールから引き出されるジッパーテープが終端部に達した場合には、ロールを交換する工程が実施される。この場合、交換後のロールから引き出されたジッパーテープの始端部を前のロールのジッパーテープの終端部に接続することによって、ロールの交換後もジッパーテープを連続的に搬送することが可能になる。
【０００５】
図６に、従来のジッパーテープの接続部の例を示す。図示された例では、新しいロールから引き出されたジッパーテープ９２０Ａの始端部が、前のロールのジッパーテープ９２０Ｂの終端部に、粘着テープ９３０を巻き付けることによって接続される。ジッパーテープの幅方向両側から粘着テープ９３０がはみ出していると、露出した粘着剤が搬送ラインに付着して異物になる可能性があるため、図示されているように粘着テープ９３０の部分９３０Ｃを切り落とすことが望ましい。この場合、ジッパーテープ９２０Ａ，９２０Ｂの接続は、両面に貼着された粘着テープ９３０の部分９３０Ａ，９３０Ｂとの間の粘着力によって維持される。
【０００６】
しかしながら、上記のような粘着テープを用いたジッパーテープの接続は、粘着テープ９３０を巻き付け、さらに部分９３０Ｃを切り落とす作業に時間を要するため、ジッパーテープおよびフィルムの搬送を一時的に停止させて実施されることが一般的である。この場合、製造が一時的に停止することによって生産性が低下する。また、切り落とされた粘着テープ９３０の部分９３０Ｃが後工程に異物として混入しないように注意する必要がある。加えて、粘着テープ９３０の部分９３０Ａ，９３０Ｂによる粘着力が弱い場合、搬送中に剥離して接続が外れる可能性がある。
【０００７】
そこで、本発明は、始端部と終端部とを容易かつ確実に接続することが可能なジッパーテープ、ならびにそのようなジッパーテープを用いたジッパーテープ付き袋の製造方法および製造装置を提供することを目的とする。
【課題を解決するための手段】
【０００８】
本発明のある観点によれば、対向する１対の基部条片、および１対の基部条片のそれぞれの内側面から突出し互いに係合する１対の係合部を断面に含む長尺状のジッパーテープ本体と、ジッパーテープ本体の長手方向端部で１対の基部条片の少なくとも一方の外側面に接合され、ジッパーテープ本体の長手方向端部から張り出したフィルムとを備えるジッパーテープが提供される。
【０００９】
本発明の別の観点によれば、袋本体を構成するフィルムに上記のジッパーテープを接合する工程を含むジッパーテープ付き袋の製造方法であって、ジッパーテープは、第１および第２のジッパーテープを含み、製造方法は、第１のジッパーテープのジッパーテープ本体の長手方向端部から張り出したフィルムを、第２のジッパーテープのジッパーテープ本体の長手方向端部で１対の基部条片の少なくとも一方の外側面に接合することによって第１のジッパーテープと第２のジッパーテープとを接続する工程をさらに含む、ジッパーテープ付き袋の製造方法が提供される。
【００１０】
本発明のさらに別の観点によれば、袋本体を構成するフィルムに上記のジッパーテープを接合する接合装置を含むジッパーテープ付き袋の製造装置であって、ジッパーテープは、第１および第２のジッパーテープを含み、製造装置は、第１のジッパーテープのジッパーテープ本体の長手方向端部から張り出したフィルムを、第２のジッパーテープのジッパーテープ本体の長手方向端部で１対の基部条片の少なくとも一方の外側面に接合することによって第１のジッパーテープと第２のジッパーテープとを接続する接続装置をさらに含む、ジッパーテープ付き袋の製造装置が提供される。
【発明の効果】
【００１１】
上記の構成によれば、ジッパーテープの始端部と終端部とを容易かつ確実に接続できることによって、例えばジッパーテープ付き袋の製造工程における生産性を向上させることができる。
【図面の簡単な説明】
【００１２】
【図１】本発明の実施形態に係るジッパーテープ付き袋の製造装置を示す図である。
【図２】図１に示されたテープロールおよび接続装置を拡大して示す図である。
【図３】図１に示されたテープロールおよび接続装置の別の例を拡大して示す図である。
【図４】本発明の一実施形態におけるジッパーテープの接続部分を拡大して示す図である。
【図５】本発明の一実施形態に係るジッパーテープの長手方向端部の拡大斜視図である。
【図６】従来のジッパーテープの接続部の例を示す図である。
【発明を実施するための形態】
【００１３】
以下に添付図面を参照しながら、本発明の好適な実施形態について詳細に説明する。なお、本明細書および図面において、実質的に同一の機能構成を有する構成要素については、同一の符号を付することにより重複した説明を省略する。
【００１４】
図１は、本発明の実施形態に係るジッパーテープ付き袋の製造装置の例である三方製袋機を示す図である。図１に示されるように、三方製袋機６００では、フィルム供給部６０１がフィルムロール６０２に巻回されたフィルム１１０を繰り出し、切断刃（図示せず）を用いて幅方向に切断することによって、袋本体を構成する１対のフィルム部分１１１Ａ，１１１Ｂを形成する。一方で、テープ供給部６０３がテープロール６０４に巻回されたジッパーテープ１２０を繰り出し、ガイド部材（図示せず）を用いてフィルム部分１１１Ａ，１１１Ｂの間の所定の位置に供給する。
【００１５】
供給されたジッパーテープ１２０は、接合装置であるシールバー６０５によって、後述する１対の基部条片がフィルム部分１１１Ａ，１１１Ｂにそれぞれ接合される。接合には、熱もしくは超音波による溶着、または接着剤を用いた接着などが用いられる。ジッパーテープ１２０がフィルム部分１１１Ａ，１１１Ｂにそれぞれ接合された後、シールバー６０６，６０７によってフィルム部分１１１Ａ，１１１Ｂの間にボトムシール部およびサイドシール部が形成される。さらに、フィルム部分１１１Ａ，１１１Ｂをそれぞれ長手方向に切断する切断刃６０８、および幅方向に切断する切断刃６０９による切り出しを経て、ジッパーテープ付き袋１００が製造される。
【００１６】
ここで、三方製袋機６００は、さらに、ジッパーテープ１２０の接続装置６１０を含む。接続装置６１０は、テープロール６０４から繰り出されるジッパーテープ１２０が終端部に達し、テープロール６０４を新しいものに交換したときに、交換後のテープロール６０４から引き出されたジッパーテープ１２０の始端部を、既に搬送されている前のロールのジッパーテープ１２０の終端部に接続する。後述するように、本実施形態においてジッパーテープ１２０はジッパーテープ本体の長手方向端部に接合されるフィルムを含むため、このフィルムを接続装置６１０が前のロールのジッパーテープに接合することによって、ジッパーテープ１２０の始端部と終端部とを容易かつ確実に接続することができる。なお、ジッパーテープ１２０をロール状に巻回する場合、本実施形態におけるテープロール６０４のように巻き芯に巻回してもよいし、巻き芯を使って、または巻き芯を使わずに巻回されて渦巻状になったジッパーテープ１２０を、巻き芯を含まない形で容器に収納してもよい。後述するように、ジッパーテープ１２０の長手方向端部に接合されるフィルムは、ロールの巻き中心側、または巻き外側の少なくともいずれかに接合される。
【００１７】
図２は、図１に示されたテープロールおよび接続装置を拡大して示す図である。図２に示される例では、テープロール６０４Ａにロール状に巻回されたジッパーテープ１２０Ａ（ジッパーテープ本体）の長手方向端部、より具体的にはテープロール６０４Ａの巻き外側に位置するジッパーテープ１２０Ａの始端部に、１対のフィルム１３０Ａ，１３０Ｂが接合される。フィルム１３０Ａ，１３０Ｂは、後述するようにジッパーテープ１２０Ａの１対の基部条片のそれぞれの外側面に予め接合されている。テープロール６０４Ａから引き出されたジッパーテープ１２０Ａの始端部に接合されたフィルム１３０Ａ，１３０Ｂの間に前のロールのジッパーテープ１２０Ｂの終端部を挟み、接続装置６１０がフィルム１３０Ａ，１３０Ｂをジッパーテープ１２０Ｂの終端部に接合することによって、ジッパーテープ１２０Ａとジッパーテープ１２０Ｂとを接続することができる。
【００１８】
図３は、図１に示されたテープロールおよび接続装置の別の例を拡大して示す図である。図３に示される例では、ジッパーテープ１２０Ａ，１２０Ｂ（ジッパーテープ本体）のそれぞれの長手方向端部、より具体的にはジッパーテープ１２０Ａ，１２０Ｂの終端部に、１対のフィルム１３０Ａ，１３０Ｂが接合される。ジッパーテープ１２０Ａの終端部は、テープロール６０４Ｂにロール状に巻回された状態ではテープロール６０４Ｂの巻き中心側に位置する（フィルム１３０として図示）。図３の例の場合、前のロールのジッパーテープ１２０Ｂの終端部に接合されたフィルム１３０Ａ，１３０Ｂの間にテープロール６０４Ｂから引き出されたジッパーテープ１２０Ａの始端部を挟み、接続装置６１０がフィルム１３０Ａ，１３０Ｂをジッパーテープ１２０Ａの始端部に接合することによって、ジッパーテープ１２０Ａとジッパーテープ１２０Ｂとを接合することができる。
【００１９】
ここで、図１〜図３に示した例において、接続装置６１０は、例えばヒートシール機やインパルスシール機、または粘着テープによる圧着機であり、フィルム１３０Ａ，１３０Ｂをジッパーテープ１２０Ｂに接合する。このような方法によるジッパーテープ１２０Ａ，１２０Ｂの接続は、例えば図６に示したような粘着テープ９３０を用いた従来の接続方法に比べて所要時間が短く（従来の例では３０秒〜１分、本実施形態の例では１０秒以下）、ジッパーテープ１２０Ｂの搬送を停止させずに、または停止させるとしても短い時間で実施することができる点で有利である。
【００２０】
図４は、本発明の一実施形態におけるジッパーテープの接続部分を拡大して示す図である。図４に示されるように、ジッパーテープ１２０Ａ，１２０Ｂは、それぞれが対向する１対の基部条片１２１Ａ，１２１Ｂを含み、フィルム１３０Ａ，１３０Ｂは基部条片１２１Ａ，１２１Ｂのそれぞれの外側面に接合される。なお、上述した三方製袋機６００のような製造装置においてジッパーテープ１２０Ａ，１２０Ｂの接続を維持して搬送することが可能であれば、フィルム１３０Ａ，１３０Ｂのいずれか一方を省略して、基部条片１２１Ａ，１２１Ｂのいずれかのみでジッパーテープ１２０Ａとジッパーテープ１２０Ｂとを連結することも可能である。
【００２１】
ここで、図２および図３を参照して説明したように、フィルム１３０Ａ，１３０Ｂはジッパーテープ１２０Ａまたはジッパーテープ１２０Ｂうち一方に予め接合されており、接続装置６１０を用いて他方に接合される。ここで、フィルム１３０Ａ，１３０Ｂは、予め接合される方のジッパーテープの長手方向端部に、溶着されるか、または接着剤や粘着剤を用いて接合される。接合の具体的な方法に関わらず、ジッパーテープにフィルム１３０Ａ，１３０Ｂを予め接合する際には時間や場所の制約がないため、例えば図６に示した従来の例のような問題を生じないジッパーテープとフィルム１３０Ａ，１３０Ｂとの接合が可能である。熱溶着などの溶着は、接合強度がより強く、従ってジッパーテープ同士の接続がより外れにくいという点で有利である。
【００２２】
また、接続装置６１０は、フィルム１３０Ａ，１３０Ｂをジッパーテープに溶着させてもよいし、接着剤や粘着剤を用いて接合してもよい。上記のようにフィルム１３０Ａ，１３０Ｂはジッパーテープ１２０Ａまたはジッパーテープ１２０Ｂうち一方に予め接合されているため、接続装置６１０でジッパーテープ１２０Ａとジッパーテープ１２０Ｂの位置合わせをすれば、フィルム１３０Ａ，１３０Ｂの位置合わせは不要である。従って、接着剤や粘着剤を用いる場合であっても、例えば図６に示された例のように粘着テープを巻き付ける必要はない。溶着が、接合強度がより強い点で有利であることは、フィルム１３０Ａ，１３０Ｂをジッパーテープに予め接合する場合と同様である。
【００２３】
本実施形態では、例えば図４に示されるように、ジッパーテープの幅方向両側からはみ出さないフィルム１３０Ａ，１３０Ｂを用いて十分な強度でジッパーテープ１２０Ａとジッパーテープ１２０Ｂとを接続することが可能であるため、例えば従来の例のような異物混入の可能性や接続が外れるといった問題を大幅に改善することができる。
【００２４】
フィルム１３０Ａ，１３０Ｂは、例えばポリオレフィン系樹脂、具体的にはポリエチレンやポリプロピレンで形成され、例えばラミネートフィルムであってもよい。
【００２５】
フィルム１３０Ａ，１３０Ｂを含むジッパーテープ１２０Ａ，１２０Ｂの接続部分は、それ以外の部分と同様に搬送され、シールバー６０５（図１参照）によってフィルム部分１１１Ａ，１１１Ｂに接合され、ジッパーテープ付き袋１００になる。センサを用いて三方製袋機６００内の、または搬出後のジッパーテープ付き袋１００を検査することによって、フィルム１３０Ａ，１３０Ｂを含むジッパーテープ付き袋１００を規格外品として除外することができる。この時のセンサによる検出を容易にするために、フィルム１３０Ａ，１３０Ｂをジッパーテープ１２０Ａ，１２０Ｂ（ジッパーテープ本体）とは異なる色、例えば黒、青、または赤などに着色してもよい。
【００２６】
図５は、本発明の一実施形態に係るジッパーテープの長手方向端部の拡大斜視図である。図５に示されるように、ジッパーテープ１２０（ジッパーテープ本体）は、対向する１対の基部条片１２１Ａ，１２１Ｂ、および基部条片１２１Ａ，１２１Ｂのそれぞれの内側面から突出し互いに係合する１対の係合部１２２Ａ，１２２Ｂを断面に含む長尺状の部材である。なお、簡単のため、基部条片１２１Ａ，１２１Ｂの形状および幅、係合部１２２Ａ，１２２Ｂの形状および数については最も単純な例を示しているが、公知の例に従って様々なバリエーションが可能である。
【００２７】
フィルム１３０Ａ，１３０Ｂは、ジッパーテープ１２０（ジッパーテープ本体）の長手方向端部で、基部条片１２１Ａ，１２１Ｂの少なくとも一方の外側面に接合され、かつジッパーテープ１２０の長手方向端部から張り出している。図２〜図４を参照して説明したように、この貼り出した部分を別のジッパーテープ本体の長手方向端部に接合することによって、ジッパーテープ同士を連結することができる。ここで、ジッパーテープ１２０の幅方向について、フィルム１３０Ａ，１３０Ｂの寸法Ｂｆは、ジッパーテープ１２０の幅Ｂｚ以下であることが好ましい。フィルム１３０Ａ，１３０Ｂがジッパーテープ１２０の幅方向両側からはみ出さないことによって、上述した三方製袋機６００のような製造装置においてジッパーテープ１２０を円滑に搬送することができる。例えば、ジッパーテープ１２０とフィルム１３０Ａ，１３０Ｂとを等幅（Ｂｚ＝Ｂｆ）にしてもよいが、位置合わせの誤差を考慮してフィルム１３０Ａ，１３０Ｂをジッパーテープ１２０よりもわずかに狭幅（Ｂｚ＞Ｂｆ）にしてもよい。
【００２８】
また、ジッパーテープ１２０の長手方向について、フィルム１３０Ａ，１３０Ｂの寸法Ｌｆは、ジッパーテープ１２０の幅Ｂｚ以上であることが好ましい。フィルム１３０Ａ，１３０Ｂとジッパーテープ１２０との長手方向での重なり長さを十分にとることによってジッパーテープ１２０と別のジッパーテープとの連結が安定する。その一方で、フィルム１３０Ａ，１３０Ｂがジッパーテープ１２０の長手方向について長すぎると、フィルム１３０Ａ，１３０Ｂの間に別のジッパーテープ本体を挟む作業がやりづらくなるため、フィルム１３０Ａ，１３０Ｂの長さは連結を安定させるために必要十分な程度にすることが望ましい。
【００２９】
以上、添付図面を参照しながら本発明の好適な実施形態について詳細に説明したが、本発明はこれらの例に限定されない。本発明の属する技術の分野の当業者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３０】
１００…ジッパーテープ付き袋、１１０…フィルム、１１１Ａ，１１１Ｂ…フィルム部分、１２０，１２０Ａ，１２０Ｂ…ジッパーテープ、１２１Ａ，１２１Ｂ…基部条片、１２２Ａ，１２２Ｂ…係合部、１３０，１３０Ａ，１３０Ｂ…フィルム、６００…三方製袋機、６０４，６０４Ａ，６０４Ｂ…テープロール、６１０…接続装置。
【図１】
2020092966.tif 000003
【図２】
2020092966.tif 000004
【図３】
2020092966.tif 000005
【図４】
2020092966.tif 000006
【図５】
2020092966.tif 000007
【図６】
2020092966.tif 000008